(57)【特許請求の範囲】
【請求項１】
管体を接続可能なメス側接続口と、液体が通過する液体流通空間と、該液体流通空間に連通する管状のオス側接続部とを有するハウジングと、
弾性材料で構成され、中空部と、頂部から前記中空部に到達する頂部スリットとを有し、前記ハウジング内に収納される弁体と、
少なくともその頂部が前記中空部内に挿入され、前記ハウジング内で移動可能に設置されたピンと、
前記ピンをその軸方向に付勢する付勢部とを備え、
前記メス側接続口に管体が接続されていないとき、前記頂部スリットが閉じており、
前記メス側接続口に管体が接続されたとき、当該管体が前記弁体の頂部を押圧して前記弁体が圧縮されることにより、前記頂部スリットが広がり、前記管体内と前記中空部とが連通し、同時に前記ピンの頂部が押圧されて前記ピンが軸方向に移動し、前記中空部内と前記ピンとの隙間を拡大し、これにより、前記頂部スリットと、前記中空部と、前記液体流通空間とを介して、当該管体内と前記オス側接続部内とが連通することを特徴とする接続具。
【請求項２】
管体が接続されていないとき、前記中空部は、そのほぼ全体が前記ピンにより埋められている請求の範囲第１項に記載の接続具。
【請求項３】
前記液体流通空間を共用する２組の前記弁体、前記ピンおよび前記付勢部が設けられている請求の範囲第１項または第２項に記載の接続具。
【請求項４】
前記２組の弁体、ピンおよび付勢部は、それらの中心線が互いにねじれの位置にある請求の範囲第３項に記載の接続具。
【請求項５】
前記ピンは、その外径が前記ピンの頂部に向って漸減するテーパ部を有する請求の範囲第１項または第２項に記載の接続具。
【請求項６】
前記ピンの頂部には、軸方向に対し傾斜し、前記頂部スリットの長さ方向と平行な斜面が形成されている請求の範囲第１項または第２項に記載の接続具。
【請求項７】
管体が接続されて、前記ピンの頂部が当該管体の開口部に当接したとき、前記ピンの頂部は、当該管体の開口部を塞がないような形状をなしている請求の範囲第１項または第２項に記載の接続具。
【請求項８】
前記斜面が２つ設けられており、前記ピンの頂部における縦断面形状がほぼ三角形をなしている請求の範囲第６項に記載の接続具。
【請求項９】
前記ピンの頂部には、凹部が形成されている請求の範囲第６項に記載の接続具。
【発明の詳細な説明】
【技術分野】
【０００１】
本発明は、管体の接続・脱離に伴って流路を開・閉する弁機構を備えた接続具に関する。
【背景技術】
【０００２】
輸液、輸血、栄養投与等に用いる医療用回路においては、複数の薬液や血液、流動食等の流体を持続的または一時的に流すため、回路の接続、脱離を行うことがある。そして、そのために回路の途中に接続具を取り付けていることは、よく知られている。【０００３】
この接続具の代表的なものとしては、三方活栓がある。この三方活栓は、一つのオス型ルアーコネクタと、二つのメス型ルアーコネクタによって構成されており、ルアーコネクタの嵌合によって回路の接続をおこなう。しかしながら、この場合、脱離した時に流体通路となる部位が外気に露出しているため、菌汚染に弱いという欠点があった。特にメス側の接続部は、接続、脱離を繰り返して使用される事が多いため、外気に触れる頻度が高いという問題があった。【０００４】
この為、メス側接続口の流体通路となる部分の外気暴露を抑えるためにメス側接続口に弁体を設けた接続具がある。この接続具では、弁体に針を穿刺したり、スリットを設けた弁体にオス型コネクタを挿入して流体通路を開通させるため、針やオス型コネクタの脱離後は再び弁体が閉じ、流体通路の外気暴露を抑えることができる。【０００５】
しかし、これらの接続具は、弁体が一方のメス側接続口にしか取りつけられていない為、他方のメス側接続口からオス型コネクタを外すと、メス側接続口が大気暴露してしまうという問題があった。【０００６】
また、これらの接続具は、メス側接続口の中に滞留部が生じ、薬液が全量流れにくい、滞留部によって菌が繁殖し易い環境となりがちである、などの欠点がある。また、使用前に接続具内を薬液等の流体で満たして使用するが、接続具内のエアーが抜きにくいという問題があった。【０００７】
さらに、メス側接続口に針やオス型コネクタを脱着する時に、接続具内の内容量が変化しやすいという問題があった。例えばオス型コネクタを脱離した時に接続具内の内容量が増えると、接続具につながれた血管カテーテルから血液をカテーテル内に逆流させることとなり、血管カテーテルの閉鎖の原因となる。
【発明の開示】
【０００８】
本発明の目的は、管体の接続・脱離に伴なって流路が確実に開・閉して流路の汚染を防止することができるとともに、液体の滞留が生じにくい接続具を提供することにある。
【０００９】
上記目的を達成するために、本発明の接続具は、管体を接続可能なメス側接続口と、液体が通過する液体流通空間と、該液体流通空間に連通する管状のオス側接続部とを有するハウジングと、
弾性材料で構成され、中空部と、頂部から前記中空部に到達する頂部スリットとを有し、前記ハウジング内に収納される弁体と、
少なくともその頂部が前記中空部内に挿入され、前記ハウジング内で移動可能に設置されたピンと、
前記ピンをその軸方向に付勢する付勢部とを備え、
前記メス側接続口に管体が接続されていないとき、前記頂部スリットが閉じており、
前記メス側接続口に管体が接続されたとき、当該管体が前記弁体の頂部を押圧して前記弁体が圧縮されることにより、前記頂部スリットが広がり、前記管体内と前記中空部とが連通し、同時に前記ピンの頂部が押圧されて前記ピンが軸方向に移動し、前記中空部内と前記ピンとの隙間を拡大し、これにより、前記頂部スリットと、前記中空部と、前記液体流通空間とを介して、当該管体内と前記オス側接続部内とが連通することを特徴とする。
【００１０】
これにより、管体の接続・脱離に伴なって流路が確実に開・閉して流路の汚染を防止することができるとともに、液体の滞留が生じるのを防止することができる。
【００１１】
また、本発明の接続具では、管体が接続されていないとき、前記中空部は、そのほぼ全体が前記ピンにより埋められているのが好ましい。
【００１２】
これにより、弁体の中空部内に液体が滞留するのが防止される。
【００１３】
また、本発明の接続具では、前記液体流通空間を共用する２組の前記弁体、前記ピンおよび前記付勢部が設けられているのが好ましい。
【００１４】
これにより、液体が一方の弁体側から液体流通空間に流れ込む、または他方の弁体側から液体流通空間に流れ込んでも、当該液体は、液体流通空間を通過するため、液体の滞留を防止することができる。
【００１５】
また、本発明の接続具では、前記２組の弁体、ピンおよび付勢部は、それらの中心線が互いにねじれの位置にあるのが好ましい。
【００１６】
これにより、中心線同士が同一平面上で交わる場合と比べ、液体流通空間の容積を極めて小さくすることができる利点がある。
【００１７】
また、本発明の接続具では、前記ピンは、その外径が前記ピンの頂部に向って漸減するテーパ部を有するのが好ましい。
【００１８】
これにより、管体を接続した状態のメス側接続部から当該管体を離脱させた（抜去した）とき、ピンを弁体の中空部に容易かつ確実に挿入することができる。
【００１９】
また、本発明の接続具では、前記ピンの頂部には、軸方向に対し傾斜し、前記頂部スリットの長さ方向と平行な斜面が形成されているのが好ましい。
【００２０】
これにより、メス側接続部に管体が接続されたとき、ピンの頂部が頂部スリットに容易に入り込むことができ、よって、頂部スリットをより確実に開く（開口させる）ことができる。
【００２１】
また、本発明の接続具では、管体が接続されて、前記ピンの頂部が当該管体の開口部に当接したとき、前記ピンの頂部は、当該管体の開口部を塞がないような形状をなしているのが好ましい。
【００２２】
これにより、メス側接続部に管体が接続されたとき、ピンの頂部が頂部スリットに容易に入り込むことができ、よって、頂部スリットをより確実に開く（開口させる）ことができる。
【００２３】
また、本発明の接続具では、前記斜面が２つ設けられており、前記ピンの頂部における縦断面形状がほぼ三角形をなしているのが好ましい。
【００２４】
これにより、メス側接続部に管体が接続されたとき、開いた頂部スリットを介して、管体内と弁体の中空部とが連通し得る。
【００２５】
また、本発明の接続具では、前記ピンの頂部には、凹部が形成されているのが好ましい。
【００２６】
これにより、メス側接続部に管体が接続されたとき、開いた頂部スリットを介して、管体内と弁体の中空部とが連通し得る。
【図面の簡単な説明】
【００２７】
【図１】第１図は、本発明の接続具の第１実施形態を示す斜視図である。
【図２】第２図は、第１図中のＡ−Ａ線断面図である。
【図３】第３図は、第１図中のＢ−Ｂ線断面図である。
【図４】第４図は、管体が接続具に接続された状態における第１図中のＡ−Ａ線断面図である。
【図５】第５図は、管体が接続具に接続された状態における第１図中のＢ−Ｂ線断面図である。
【図６】第６図は、管体が接続具に接続された状態における第１図中のＡ−Ａ線断面図である。
【図７】第７図は、管体が接続具に接続された状態における第１図中のＡ−Ａ線断面図である。
【図８】第８図は、第１図に示す接続部が備える弁体の縦断面図（ａ）およびピンの斜視図（ｂ）である。
【図９】第９図は、弁体の他の構成例を示す縦断面図（ａ）およびピンの他の構成例を示す斜視図（ｂ）である。
【図１０】第１０図は、弁体の他の構成例を示す縦断面図（ａ）およびピンの他の構成例を示す斜視図（ｂ）である。
【図１１】第１１図は、本発明の接続具の第２実施形態を示す斜視図である。
【図１２】第１２図は、第１１図中のＡ−Ａ線断面図である。
【図１３】第１３図は、第１１図中のＢ−Ｂ線断面図である。
【図１４】第１４図は、本発明の接続具の第３実施形態を示す斜視図である。
【図１５】第１５図は、第１４図中のＡ−Ａ線断面図である。
【図１６】第１６図は、第１４図中のＢ−Ｂ線断面図である。
【図１７】第１７図は、本発明の接続具の第４実施形態を示す縦断面図である。
【図１８】第１８図は、本発明の接続具の第５実施形態を示す縦断面図である。
【図１９】第１９図は、本発明の接続具の第５実施形態を示す縦断面図である。
【発明を実施するための最良の形態】
【００２８】
以下、本発明の接続具を添付図面に示す好適な実施形態に基づいて詳細に説明する。【００２９】
＜第１実施形態＞
第１図は、本発明の接続具の第１実施形態を示す斜視図、第２図は、第１図中のＡ−Ａ線断面図、第３図は、第１図中のＢ−Ｂ線断面図、第４図は、管体が接続具に接続された状態における第１図中のＡ−Ａ線断面図、第５図は、管体が接続具に接続された状態における第１図中のＢ−Ｂ線断面図、第６図および第７図は、それぞれ、管体が接続具に接続された状態における第１図中のＡ−Ａ線断面図、第８図は、第１図に示す接続部が備える弁体の縦断面図（ａ）およびピンの斜視図（ｂ）である。【００３０】
これらの図に示す接続具１Ａは、例えば、輸液セット（輸血セット）、栄養セット、圧力モニタリングライン、人工肺回路、人工透析回路等のような、液体の流路接続を必要とする医療用具に組み込んで使用されるものである。【００３１】
第１図に示すように、接続具１Ａは、ハウジング３Ａと、ハウジング３Ａ内に収納される第１の弁体６ａおよび第２の弁体６ｂとを備えている。【００３２】
ハウジング３Ａは、形状がほぼ立方体の本体３５と、第１のキャップ３６と、第２のキャップ３７と、オス側接続部５０とを有している。【００３３】
第１のキャップ３６は、その形状がほぼ筒状をなしており、その一端側に、管体を受け入れ可能な第１のメス側接続口３０を有している。【００３４】
第２のキャップ３７は、その形状がほぼ筒状をなしており、その一端側に、管体を受け入れ可能な第２のメス側接続口３１を有している。【００３５】
第２図、第３図に示すように、第１のメス側接続口３０（第１のキャップ３６）および第２のメス側接続口３１（第２のキャップ３７）には、それぞれ、第１の弁体６ａおよび第２の弁体６ｂが設けられている。また、第１のメス側接続口３０および第２のメス側接続口３１には、それぞれ、流路を構成する管体（例えばシリンジの先端突出部位や、それ自体独立したハブ、シース等）を挿入して接続可能になっている。【００３６】
第１のメス側接続口３０の中心線と、第２のメス側接続口３１の中心線とは、ねじれの位置にあるとともに、ほぼ９０°の角度をなしている。以下の説明では、第１のメス側接続口３０の中心線に平行な方向を「Ｙ軸方向」と言い、第２のメス側接続口３１の中心線に平行な方向、すなわちＹ軸方向に垂直な方向を「Ｘ軸方向」と言う。【００３７】
オス側接続部５０は、内部に流路５１が形成された管状の部材であり、その中心線がＸ軸方向になるように配置されている。このオス側接続部５０は、先端に向かって外径が漸減するルアーテーパを構成している。オス側接続部５０は、他の器具のメス側接続口（例えばカテーテルハブの基端開口など）に挿入・接続することができる。また、オス側接続部５０の内部は、後述する液体流通空間３８と連通している（第２図参照）。【００３８】
このような接続具１Ａは、複数個の接続具１Ａを集め、各接続具１Ａのオス側接続部５０を他の接続具１Ａの第２のメス側接続口３１に挿入・接続することによって複数個の接続具１Ａを連結した状態として使用することもできる。その際、第２のメス側接続口３１とオス側接続部５０とが平行かつ反対向きに設けられていることにより、複数個の接続具１Ａを直線的に連結することができ、使用しやすい形に連結することができる。【００３９】
第１の弁体６ａおよび第２の弁体６ｂは、それぞれ、弾性材料で構成されている。この弾性材料としては、特に限定されないが、例えば、シリコーンゴムなどの各種ゴム材料や、ポリブタジエン、ＥＶＡ、スチレン系エラストマー等の各種熱可塑性樹脂が挙げられる。なお、第１の弁体６ａおよび第２の弁体６ｂは、それらの形状や作用がほぼ同一であるため、以下、第１の弁体６ａについて代表的に説明する。【００４０】
第３図、第８図（ａ）に示すように、第１の弁体６ａは、中心線の方向がＹ軸方向に平行なほぼ円筒状の胴部６２と、胴部６２の一端側に形成された頂部（頭部）６１とで構成されている。【００４１】
胴部６２の内部には、後述するピン４ａの形状に対応した形状をなすピン挿入空間（中空部）６５が形成されている。【００４２】
また、胴部６２の他端側には、胴部６２の外径より拡径したフランジ６２１が形成されている。第１の弁体６ａをハウジング３Ａ内に設置（収納）する際、フランジ６２１が第１のキャップ３６と本体３５とに挟持される。これにより、第１の弁体６ａをハウジング３Ａ内に確実に（液密に）固定することができる（第３図参照）。【００４３】
また、胴部６２の外周面６２２のフランジ６２１側には、複数（本実施形態では、３つ）溝６２３が全周に沿って形成されている。これにより、第１の弁体６ａがその軸方向（Ｙ軸方向）に圧縮されたとき、胴部６２がＹ軸方向に容易に弾性変形することができる（第５図参照）。【００４４】
また、第１の弁体６ａ（胴部６２）の頂部６１側には、頂部６１に向って外径が漸減するテーパ６２４が形成されている。これにより、第１のメス側接続口３０に管体が接続されていないとき、テーパ６２４が第１のキャップ３６の内面に当接して、頂部６１（頂面６１１）が第１のメス側接続口３０から突出するのを防止することができる、すなわち、Ｙ軸方向における頂面６１１の高さを規制することができる（第３図参照）。【００４５】
頂部６１には、頂面６１１からピン挿入空間６５まで到達する（貫通する）頂部スリット６３が形成されている。なお、頂部スリット６３は、第１の弁体６ａ（頂部６１）が自然状態で閉じるように形成されていてもよいし、開くように形成されていてもよい。【００４６】
第２図、第３図に示すように、接続具１Ａは、第１の弁体６ａのピン挿入空間６５および第２の弁体６ｂのピン挿入空間６５にそれぞれ位置する（挿入される）中実のピン４ａ、４ｂをさらに有している。また、ピン４ａ、４ｂは、それぞれ、ハウジング３Ａ内で移動可能に設置されている。【００４７】
第３図に示すように、第１のメス側接続口３０にオスルアー（管体）１００を接続していない状態（以下、「非接続状態」と言う）で、第１の弁体６ａのピン挿入空間６５は、そのほぼ全体がピン４ａにより埋められている。これにより、ピン挿入空間６５に液体が滞留するのが防止される。また、ピン４ａは中空部を有さない中実な部材であるので、ピン４ａ内にも液体が滞留するのが防止される。【００４８】
また、第２図に示すように、第２のメス側接続口３１にオスルアー（管体）２００を接続していない状態（以下、「非接続状態」と言う）においても同様に、第２の弁体６ｂのピン挿入空間６５は、そのほぼ全体がピン４ｂにより埋められている。これにより、ピン挿入空間６５に液体が滞留するのが防止される。また、ピン４ｂは中空部を有さない中実な部材であるので、ピン４ｂ内にも液体が滞留するのが防止される。【００４９】
なお、ピン４ａ、４ｂは、それらの形状や作用がほぼ同一であるため、以下、ピン４ａについて代表的に説明する。【００５０】
第３図、第８図（ｂ）に示すように、ピン４ａは、頂部４１とテーパ部（胴部）４２とを有している。【００５１】
テーパ部４２は、ピン４ａの外径が頂部４１に向って漸減する部位である。第５図に示すように、第１のメス側接続口３０にオスルアー１００が接続されて（以下、この状態を「接続状態」と言う）、ピン４ａがＹ軸方向に移動すると、第１の弁体６ａの胴部６２の内側とテーパ部４２との間に間隙６５１が確実に生じる。【００５２】
また、接続状態では、頂部４１が管体１００の開口部１０２に当接するが、この頂部４１は、管体１００の開口部１０２を塞がないような形状をなしている。具体的には、頂部４１において、Ｙ軸方向（軸方向）に対し傾斜した２つの斜面４１１が形成されている。また、これら２つの斜面４１１は、頂部４１における縦断面形状がほぼ三角形をなすように設けられている（例えば、第５図参照）。【００５３】
頂部４１がこのような形状をなしていることにより、接続状態において、頂部４１（ピン４ａ）が頂部スリット６３に容易に入り込むことができ、よって、頂部スリット６３をより確実に開く（開口させる）ことができる。また、接続状態において、この開いた頂部スリット６３を介して、オスルアー１００の流路１０１と間隙６５１（ピン挿入空間６５）とが連通する。【００５４】
第２図、第３図に示すように、接続具１Ａは、ピン４ａおよび４ｂをそれぞれＹ軸方向およびＸ軸方向に付勢する付勢部２ａおよび２ｂをさらに有している。なお、付勢部２ａ、２ｂは、それらの形状や作用がほぼ同一であるため、以下、付勢部２ａについて代表的に説明する。【００５５】
第３図に示すように、付勢部２ａは、ピン４ａのテーパ部４２の底面４２１に当接する当接部（頭部）２１と、当接部２１の一端側に形成された胴部２２とを有している。この付勢部２ａは、ハウジング３Ａの本体３５内に形成された円柱状の空間３５１に収納されている。【００５６】
当接部２１は、その外形が円柱状をなしている。また、当接部２１は、その外径が空間３５１の内径とほぼ同等であるように形成されている。これにより、当接部２１の外周面２１１と空間３５１を囲む内周面３５２とが密着することができ、よって、接続状態において、間隙６５１から空間３５１に流れ込んだ液体が空間３５１の奥側（胴部２２側）へさらに流れ込むのを防止することができる（第５図参照）。従って、液体が流れるに際し、液体の滞留が生じるのを防止することができる。【００５７】
胴部２２は、蛇腹状をなした筒状体で構成されている。すなわち、胴部２２は、大径リング部２２１と小径リング部２２２とがＹ軸方向に交互に配列された蛇腹状をなしている。このような胴部２２は、ピン４ａをＹ軸方向（ピン４ａがピン挿入空間６５に挿入される方向）に付勢する付勢手段として機能している。【００５８】
また、この胴部２２は、ピン４ａがピン挿入空間６５に向って移動するための付勢力の大半を担っているが、当接部２１がその付勢力の一部を担っていてもよい。【００５９】
また、付勢部２ａおよび２ｂの構成材料としては、特に限定されないが、例えば、第１の弁体６ａおよび第２の弁体６ｂで挙げたような材料を用いることができる。【００６０】
第２図、第３図に示すように、ハウジング３Ａの内部には、液体が通過する液体流通空間（内腔）３８が形成されている。この液体流通空間３８は、液体が流れるに際し、液体の滞留が可能な限り生じないような形状になっている。換言すれば、液体流通空間３８は、液体がよどむ入り江のような個所を有さない形状になっている。【００６１】
第１の弁体６ａ、ピン４ａおよび付勢部２ａと、第２の弁体６ｂ、ピン４ｂおよび付勢部２ｂとは、それらの中心線同士がねじれの位置にある。これにより、これらの中心線同士が同一平面上で交わる場合と比べ、液体流通空間３８の容積を極めて小さくすることができる利点がある。【００６２】
また、第１の弁体６ａ、ピン４ａおよび付勢部２ａと、第２の弁体６ｂ、ピン４ｂおよび付勢部２ｂとは、液体流通空間３８を共用している、すなわち、それらの側部同士が液体流通空間３８を介して連結されている。これにより、液が第１の弁体６ａ側から液体流通空間３８に流れ込む、または第２の弁体６ｂ側から液体流通空間３８に流れ込んでも、液体が液体流通空間３８を通過するため、液体が滞留するのを防止することができる。【００６３】
非接続状態で、第１の弁体６ａの頂部６１は、第１のメス側接続口３０内に挿入している（第３図参照）。第１のメス側接続口３０の内径は、頂部６１の自然状態における外径よりもやや小さくなっている。これにより、非接続状態のとき、頂部６１が径方向から締め付けられ、頂部スリット６３がより確実に閉鎖する。【００６４】
また、非接続状態で、第２の弁体６ｂの頂部６１は、第２のメス側接続口３１内に挿入している（第２図参照）。第２のメス側接続口３１の内径は、頂部６１の自然状態における外径よりもやや小さくなっている。これにより、非接続状態のとき、頂部６１が径方向から締め付けられ、頂部スリット６３がより確実に閉鎖する。【００６５】
次に、第１のメス側接続口３０に例えば輸液セットなどのオスルアー１００を接続したときの状態について、第５図、第６図および第７図に基づき、説明する。【００６６】
第５図に示すように、第１のメス側接続口３０にオスルアー１００を接続する際には、ハウジング３Ａを把持してオスルアー１００の先端部を第１のメス側接続口３０内に挿入していく。この操作を行うと、オスルアー１００の先端面が第１の弁体６ａの頂面６１１（頂部６１）を押圧して、第１の弁体６ａの胴部６２が縮んでいく。また、これとともに、ピン４ａの頂部４１が押圧されて、このピン４ａがＹ軸方向に移動していく。この移動により、第１の弁体６ａに間隙６５１が生じ、この間隙６５１と液体流通空間３８とがハウジング３Ａの空間３５１を介して連通する。【００６７】
また、このとき、付勢部２ａ（胴部２２）が圧縮されるので、この圧縮された付勢部２ａの付勢力により、ピン４ａの頂部４１が頂部スリット６３に挿入してこれを押し広げる。そして、ピン４ａの頂部４１は、オスルアー１００の開口部１０２に当接し、頂部スリット６３をより確実に広げ、頂部スリット６３とオスルアー１００の流路１０１とを連通させる。【００６８】
このような接続により、第５図、第６図（第７図）に示すように、オスルアー１００内の流路１０１は、頂部スリット６３と、第１の弁体６ａのピン挿入空間６５（間隙６５１）と、ハウジング３Ａの空間３５１と、液体流通空間３８とを介してオス側接続部５０内の流路５１と連通する。【００６９】
前述したように、ピン４ａがハウジング３Ａ内で移動可能であることにより、ピン４ａが頂部スリット６３に入り込む長さが一定となる。これにより、第１の弁体６ａの頂部スリット６３の破損が防止され、この頂部スリット６３の液密性が持続的に得られる。【００７０】
なお、オスルアー１００は、第１のメス側接続口３０の内周部に嵌合して固定される。また、第１のメス側接続口３０の外周部には、雄ネジが形成されており、オスルアー１００をネジ式ロック１１０によってより確実に固定することができる。【００７１】
第５図ないし第７図に示す接続状態においてオスルアー１００の流路１０１から薬液等の液体を流すと、この液体は、頂部スリット６３、第１の弁体６ａのピン挿入空間６５、ハウジング３Ａの空間３５１、液体流通空間３８、オス側接続部５０内の流路５１を順次通過して、オス側接続部５０の開口５２から流出する。このとき、第６図において最もよく分かるように、液体流通空間３８に連通する空間３５３が閉鎖していることにより第２の弁体６ｂ側へ液体が流れるのが防止されるとともに、液体流通空間３８が滞留を生じさせない形状（入り江を有さない形状）になっているので、オスルアー１００の流路１０１から流入した液体のほぼ全量が滞留することなくオス側接続部５０へ流れる。オス側接続部５０には、予めチューブ（図示せず）が接続されており、このチューブを介して、患者側へ液体を流すことができる。【００７２】
また、液体流通空間３８のエアーを薬液等の液体で置換しようとする場合でも、液体流通空間３８にエアーが残りにくく、エアーと液体との置換、すなわちプライミングをより確実に行うことができる。【００７３】
第６図ないし第８図に示す接続状態からオスルアー１００を取り外すと、第１の弁体６ａは、胴部６２の復元力（付勢力）によって、第１の弁体６ａの頂部６１が第１のメス側接続口３０の内周部で締め込まれる位置まで回復する。これにより、頂部スリット６３が閉鎖する。また、付勢部２ａの復元力（付勢力）によって、ピン４ａは、第１の弁体６ａのピン挿入空間６５のほぼ全体を埋める位置まで戻る。このように、接続具１Ａは、第３図に示す非接続状態に戻る。【００７４】
次に、第２のメス側接続口３１に例えば輸液セットなどのオスルアー２００を接続したときの状態について、第４図に基づいて説明する。【００７５】
第４図に示すように、第２のメス側接続口３１にオスルアー２００を接続する際には、ハウジング３Ａを把持してオスルアー２００の先端部を第２のメス側接続口３１内に挿入していく。この操作を行うと、オスルアー２００の先端面が第２の弁体６ｂの頂面６１１（頂部６１）を押圧して、第２の弁体６ｂの胴部６２が縮んでいく。また、これとともに、ピン４ｂの頂部４１が押圧されて、このピン４ｂがＸ軸方向に移動していく。この移動により、第２の弁体６ｂに間隙６５１が生じ、この間隙６５１と液体流通空間３８とがハウジング３Ａの空間３５３を介して連通する。【００７６】
また、このとき、付勢部２ｂ（胴部２２）が圧縮されるので、この圧縮された付勢部２ｂの付勢力により、ピン４ｂの頂部４１が頂部スリット６３に挿入してこれを押し広げる。そして、ピン４ｂの頂部４１は、オスルアー２００の開口部２０２に当接し、頂部スリット６３をより確実に広げ、頂部スリット６３とオスルアー２００の流路２０１とを連通させる。【００７７】
このような接続により、第４図に示すように、オスルアー２００内の流路２０１は、頂部スリット６３と、第２の弁体６ｂのピン挿入空間６５（間隙６５１）と、ハウジング３Ａの空間３５３と、液体流通空間３８とを介してオス側接続部５０内の流路５１と連通する。【００７８】
前述したように、ピン４ｂがハウジング３Ａ内で移動可能であることにより、ピン４ｂが頂部スリット６３に入り込む長さが一定となる。これにより、第２の弁体６ｂの頂部スリット６３の破損が防止され、この頂部スリット６３の液密性が持続的に得られる。【００７９】
なお、オスルアー２００は、第２のメス側接続口３１の内周部に嵌合して固定される。また、第２のメス側接続口３１の外周部には、雄ネジが形成されており、オスルアー２００をネジ式ロック２１０によってより確実に固定することができる。【００８０】
このような接続状態においてオスルアー２００の流路２０１から薬液等の液体を流すと、この液体は、頂部スリット６３、第２の弁体６ｂのピン挿入空間６５、ハウジング３Ａの空間３５３、液体流通空間３８、オス側接続部５０内の流路５１を順次通過して、オス側接続部５０の開口５２から流出する。このとき、液体流通空間３８に連通する空間３５１が閉鎖していることにより第１の弁体６ａ側へ液体が流れるのが防止されるとともに、液体流通空間３８が滞留を生じさせない形状（入り江を有さない形状）になっているので、オスルアー２００の流路２０１から流入した液体のほぼ全量が滞留することなくオス側接続部５０へ流れる。【００８１】
このような接続状態からオスルアー２００を取り外すと、第２の弁体６ｂは、胴部６２の復元力（付勢力）によって、第２の弁体６ｂの頂部６１が第２のメス側接続口３１の内周部で締め込まれる位置まで回復する。これにより、頂部スリット６３が閉鎖する。また、付勢部２ｂの復元力（付勢力）によって、ピン４ｂは、第２の弁体６ｂのピン挿入空間６５のほぼ全体を埋める位置まで戻る。このように、接続具１Ａは、第２図に示す非接続状態に戻る。【００８２】
以上の説明では、第１のメス側接続口３０、第２のメス側接続口３１の一方にオスルアー１００、２００を接続した場合について説明したが、接続具１Ａでは、第１のメス側接続口３０、第２のメス側接続口３１の両方に同時にオスルアー１００、２００を接続して用いることもできるのは言うまでもない（第７図参照）。【００８３】
第１のメス側接続口３０、第２のメス側接続口３１の両方にオスルアー１００、２００を接続した場合、例えば、オスルアー１００の流路１０１およびオスルアー２００の流路２０１のそれぞれから互いに異なる液体を接続具１Ａに流入させることができる。それぞれの流路１０１、２０１から流れ込んだ液体は、液体流通空間３８で合流して、オス側接続部５０の開口５２から流出する。そして、例えば、オスルアー１００から接続具１Ａへの液体の流入が終了した後、オスルアー１００を接続具１Ａ（第１のメス側接続口３０）から取り外した場合、第１の弁体６ａのピン挿入空間６５およびハウジング３Ａの空間３５１内の液体がこれらの復元によって、オス側接続部５０側へ押し出される。これにより、オスルアー１００の液体が滞留するのが防止される。また、例えば、オスルアー２００から接続具１Ａへの液体の流入が終了した後、オスルアー２００を接続具１Ａ（第２のメス側接続口３１）から取り外した場合も同様に、第２の弁体６ｂのピン挿入空間６５およびハウジング３Ａの空間３５３内の液体がこれらの復元によって、オス側接続部５０側へ押し出される。これにより、オスルアー２００の液体が滞留するのが防止される。【００８４】
以上説明したような接続具１Ａにおいては、オスルアー１００、２００を接続した際に流路５１内の液体が開口５２から押し出されたり（ポジフロー）、逆にオスルアー１００、２００を抜去した際に開口５２から流路５１内に液体を吸い込んだり（バックフロー）するのを防止することができ、これらによる弊害を防止することができる。【００８５】
また、ハウジング３Ａおよびピン４ａ、４ｂの材質としては、特に限定されないが、適度な硬さを有するものが好ましく、例えばポリエチレン、ポリプロピレン、ポリカーボネートなどの各種高分子材料が好ましい。【００８６】
また、本実施形態では、２つのメス側接続口を有する構成について説明したが、本発明の接続具は、３つ以上のメス側接続口を有するものであってもよい。【００８７】
＜第２実施形態＞
第１１図は、本発明の接続具の第２実施形態を示す斜視図、第１２図は、第１１図中のＡ−Ａ線断面図、第１３図は、第１１図中のＢ−Ｂ線断面図である。【００８８】
以下、これらの図を参照して本発明の接続具の第２実施形態について説明するが、前述した第１実施形態との相違点を中心に説明し、同様の事項はその説明を省略する。【００８９】
本実施形態は、ハウジングの構成が異なること以外は前記第１実施形態と同様である。【００９０】
第１１図に示すように、接続具１Ｂは、ハウジング３Ｂと、ハウジング３Ｂ内に収納される第１の弁体６ａとを備えている。【００９１】
ハウジング３Ｂは、形状がほぼ円柱状の本体３５Ｂと、第１のキャップ３６と、第１のオス側接続部５０ａと、第２のオス側接続部５０ｂとを有している。【００９２】
第１２図に示すように、第１のオス側接続部５０ａと、第２のオス側接続部５０ｂとは、液体流通空間３８を介して連通しており、それらの中心線がほぼ一致するように形成されている。すなわち、第１のオス側接続部５０ａと、第２のオス側接続部５０ｂとは、第１のオス側接続部５０ａの流路５１ａと、液体流通空間３８と、第２のオス側接続部５０ｂの流路５１ｂで構成された空間３２の形状がほぼ円柱状をなすように形成されている。また、空間３２の中心軸と、ハウジング３Ｂの空間３５１の中心軸とは、互いにねじれの位置関係にある（第１２図、第１３図参照）。【００９３】
このような構成の接続具１Ｂは、液体が流通する流路（チューブ３００）の途中に設けて用いることができる（第１１図参照）。これにより、接続具１Ｂは、チューブ３００の途中に設置される混注口として機能することができる。【００９４】
このとき、第１のオス側接続部５０ａは、例えば輸液セットのローラクレンメやピン針などが接続されているチューブ３００の上流側（第１１図中、右側）に位置し、第２のオス側接続部５０ｂは、例えばオスルアーなどが接続されているチューブ３００の下流側（第１１図中、左側）に位置している。すわなち、第１のオス側接続部５０ａが上流側のチューブ３００に接続され、第２のオス側接続部５０ｂが下流側のチューブ３００に接続されている。【００９５】
このように、接続具１Ｂをチューブ３００の途中に設けて、この接続具１Ｂにオスルアー１００を接続することにより、頂部スリット６３、ピン挿入空間６５、空間３５１および液体流通空間３８を介して、チューブ３００に液体を注入し、またはチューブ３００から液体を取り出すことができる（第１３図参照）。【００９６】
なお、第１のオス側接続部５０ａおよび第２のオス側接続部５０ｂは、それぞれがルアーテーパ（オスルアー）を構成しているのに限定されず、例えば、これらの一方に、第１のメス側接続口３０（第１のキャップ３６）のような開口（メスルアー）を設けてもよい。【００９７】
また、本実施形態では、１つのメス側接続口と、２つのオス側接続部とを有する構成について説明したが、本発明の接続具は、１つのメス側接続口と、１つのオス側接続部とを有するものであってもよい。【００９８】
＜第３実施形態＞
第１４図は、本発明の接続具の第３実施形態を示す斜視図、第１５図は、第１４図中のＡ−Ａ線断面図、第１６図は、第１４図のＢ−Ｂ線断面図である。【００９９】
以下、これらの図を参照して本発明の接続具の第３実施形態について説明するが、前述した第２実施形態との相違点を中心に説明し、同様の事項はその説明を省略する。【０１００】
本実施形態は、ハウジングの形状が異なること以外は前記第２実施形態と同様である。【０１０１】
第１５図、第１６図に示すように、接続具１Ｃでは、空間３２の中心軸と、ハウジング３Ｂの空間３５１の中心軸とが互いにほぼ直交している。【０１０２】
非接続状態のとき、チューブ３００を通過する液体は、内周面３５２と当接部２１（胴部２２）との隙間（空間３５１）を通過することができる。【０１０３】
また、接続状態のとき、管体１００からの液体は、接続具１Ｃを介して、チューブ３００中の液体に混流することができる。【０１０４】
＜第４実施形態＞
第１７図は、本発明の接続具の第４実施形態を示す縦断面図である。【０１０５】
以下、この図を参照して本発明の接続具の第４実施形態について説明するが、前述した第２実施形態との相違点を中心に説明し、同様の事項はその説明を省略する。【０１０６】
本実施形態は、付勢部の形状が異なること以外は前記第２実施形態と同様である。【０１０７】
接続具１Ｄの付勢部２は、当接部（頭部）２１と、当接部２１の外径より拡径している胴部２３とを有している。【０１０８】
付勢部２の内部は、中空となっており、胴部２３の肩部２３１の肉厚は、胴部２３の他箇所の肉厚よりも薄くなっている。これにより、肩部２３１が変形し易くなり、接続状態のとき、肩部２３１が変形して当接部２１が胴部２３側へ容易に移動することができ、よって、液体が接続具１Ｄの内部を通過することができる。【０１０９】
また、付勢部２は、胴部２３の下端部２３３においてハウジング３Ｂに液密に固定されている。【０１１０】
また、胴部２３の外周面２３２は、ハウジング３Ｂの内周面３５２に当接（密着）している。この当接状態は、接続状態においても維持され、液体が空間３５１の胴部２３側へ流れ込むのを防止することができる。【０１１１】
＜第５実施形態＞
第１８図および第１９図は、それぞれ、本発明の接続具の第５実施形態を示す縦断面図である。【０１１２】
以下、これらの図を参照して本発明の接続具の第５実施形態について説明するが、前述した第２実施形態との相違点を中心に説明し、同様の事項はその説明を省略する。【０１１３】
本実施形態は、付勢部の形状が異なること以外は前記第２実施形態と同様である。【０１１４】
接続具１Ｅの付勢部２’は、その形状がブロック状をなしている。この付勢部２’には、それを貫通する中空部２４が形成されている（第１８図参照）。このような形状の付勢部２’は、中空部２４が空間３２（液体流通空間３８）に連通するようにハウジング３Ｂ内に設けられている（第１９図照）。【０１１５】
接続状態では、付勢部２’の頂部２６がピン４ａに押圧されて、付勢部２’の側部２５が中空部２４側（第１９図中の矢印方向）へ屈曲するように変形する（第１８図中の二点鎖線）。これにより、空間３５１、すわなち、付勢部２’の上側（第１８図中）の空間を介して第１の弁体６ａのピン挿入空間６５と液体流通空間３８とが連通し、液体が接続具１Ｅの内部を通過することができる。【０１１６】
また、空間３５１の形状が付勢部２’の形状に対応しているため、付勢部２’がハウジング３Ｂ（空間３５１）内で移動するのが防止される。これにより、付勢部２’をハウジング３Ｂ（空間３５１）内で固定するのを省略することができる。【０１１７】
さて、第１の弁体（ピン挿入空間）およびピンは、それぞれ、第８図（ａ）および（ｂ）に示すような形状をなしているのに限定されない。ここでは、第１の弁体およびピンの他の構成例について説明する。第９図および第１０図は、それぞれ、弁体の他の構成例を示す縦断面図（ａ）およびピンの他の構成例を示す斜視図（ｂ）である。以下、これらの図を参照して第１の弁体およびピンの各構成例について説明するが、前述した第１の弁体６ａおよびピン４ａとの相違点を中心に説明し、同様の事項はその説明を省略する。【０１１８】
［構成例１］
第９図（ｂ）に示すピン４ｃは、頂部４１における斜面４１１の形成数が異なる以外は前記ピン４ａと同様である。【０１１９】
ピン４ｃの頂部４１には、Ｙ軸方向（軸方向）に対し傾斜した１つの斜面４１１と、頂面４１３が形成されている。これにより、接続状態において、頂部スリット６３を介して、オスルアー１００の流路１０１と間隙６５１（ピン挿入空間６５）とを連通させることができる。【０１２０】
第９図（ａ）に示す第１の弁体６ｃは、ピン挿入空間６５ｃの形状が異なる以外は前記第１の弁体６ａと同様である。【０１２１】
このピン挿入空間６５ｃは、ピン４ｃの形状に対応した形状をなしている。すなわち、ピン挿入空間６５ｃは、斜面４１１に対応した斜面６５２と、頂面４１３に対応した平面６５３と、テーパ部４２に対応したテーパ面（内周面）６５４とで囲まれている。これにより、非接続状態で、ピン挿入空間６５ｃのほぼ全体をピン４ｃにより埋めることができる。【０１２２】
また、第１の弁体６ｃのスリット６３は、斜面６５２と平面６５３との境界に平行に形成されている。【０１２３】
これにより、接続状態で、斜面４１１とオスルアー１００の先端との頂部６１の斜面６５２付近の挟持力が、頂面４１３とオスルアー１００の先端との頂部６１の平面６５３付近の挟持力より弱いため、頂部６１の斜面６５２付近が変形し易くなり、ピン４ｃによって、スリット６３をより確実に開くことができる。【０１２４】
［構成例２］
第１０図（ｂ）に示すピン４ｄは、頂部４１の形状が異なる以外は前記ピン４ａと同様である。【０１２５】
ピン４ｄの頂部４１には、ピン４ａとほぼ同様の２つの斜面４１１と、頂面４１３と、凹部４１２とが形成されている。この凹部４１２は、２つの斜面４１１をまたぐように、頂面４１３に形成されている。ピン４ｄの頂部４１がこのような形状をなしていることにより、接続状態において、頂部スリット６３を介して、オスルアー１００の流路１０１と間隙６５１（ピン挿入空間６５ｄ）とを連通させることができる。【０１２６】
第１０図（ａ）に示す第１の弁体６ｄは、ピン挿入空間６５ｄの形状が異なる以外は前記第１の弁体６ａと同様である。【０１２７】
このピン挿入空間６５ｄは、ピン４ｄの形状に対応した形状をなしている。すなわち、ピン挿入空間６５ｄは、斜面４１１に対応した斜面６５２と、頂面４１３に対応した平面６５３と、テーパ部４２に対応したテーパ面（内周面）６５４と、凹部４１２に対応した凸面６５４とで囲まれている。これにより、非接続状態で、ピン挿入空間６５ｄのほぼ全体をピン４ｄにより埋めることができる。また、接続状態で、頂面４１３とオスルアー１００の先端とで頂部６１の平面６５３付近が挟持されて、ピン４ｄが移動する。また、頂部６１の斜面６５２および凸面６５４付近が挟持される力が弱いため変形し易く、接続状態で、ピン４ｄによって、スリット６３をより確実に開くことができる。【０１２８】
以上、本発明の接続具を図示の実施形態について説明したが、本発明は、これに限定されるものではなく、接続具を構成する各部は、同様の機能を発揮し得る任意の構成のものと置換することができる。また、任意の構成物が付加されていてもよい。【０１２９】
また、ピンは、その長さとピン挿入空間の長さとがほぼ同等であるように形成されているのに限定されず、ピンの長さがピン挿入空間の長さより長くなるように形成されていてもよい。【０１３０】
また、各実施形態の付勢部としては、図示の構成のものであるのに限定されず、例えば、圧縮コイルバネ等で構成されていてもよい。【０１３１】
また、ピンと付勢部とは、それぞれ別部材として形成されているのに限定されず、例えば、一体的に形成されていてもよい。これにより、接続具を構成する部品点数を少なくすることができ、接続具を組立てる際の組立工数を削減することができる。【０１３２】
また、ピンと付勢部とが一体的に形成された場合、構成材料は、特に限定されないが、適度な硬さと復元性とを有する材料であるのが好ましい。この構成材料としては、例えば、硬質のシリコーンゴムなどの各種ゴム材料が挙げられる。【０１３３】
また、オス側接続部は、ルアーテーパを構成（形成）しているのに限定されず、例えば、第１のメス側接続口および第２のメス側接続口のような雄ネジを有するように形成されていてもよい。
【産業上の利用可能性】
【０１３４】
本発明の接続具は、管体を接続可能なメス側接続口と、液体が通過する液体流通空間と、該液体流通空間に連通する管状のオス側接続部とを有するハウジングと、弾性材料で構成され、中空部と、頂部から前記中空部に到達する頂部スリットとを有し、前記ハウジング内に収納される弁体と、少なくともその頂部が前記中空部内に挿入され、前記ハウジング内で移動可能に設置されたピンと、前記ピンをその軸方向に付勢する付勢部とを備え、前記メス側接続口に管体が接続されていないとき、前記頂部スリットが閉じており、前記メス側接続口に管体が接続されたとき、当該管体が前記弁体の頂部を押圧して前記弁体が圧縮されることにより、前記頂部スリットが広がり、前記管体内と前記中空部とが連通し、同時に前記ピンの頂部が押圧されて前記ピンが軸方向に移動し、前記中空部内と前記ピンとの隙間を拡大し、これにより、前記頂部スリットと、前記中空部と、前記液体流通空間とを介して、当該管体内と前記オス側接続部内とが連通する。そのため、管体の接続・脱離に伴なって流路が確実に開・閉するので、流路の汚染を防止することができる。また、接続具の内部で液体が滞留する個所が生じるのを防止することができる。したがって、産業上の利用可能性を有する。
【図１】
0004744440.tif 000002
【図２】
0004744440.tif 000003
【図３】
0004744440.tif 000004
【図４】
0004744440.tif 000005
【図５】
0004744440.tif 000006
【図６】
0004744440.tif 000007
【図７】
0004744440.tif 000008
【図８】
0004744440.tif 000009
【図９】
0004744440.tif 000010
【図１０】
0004744440.tif 000011
【図１１】
0004744440.tif 000012
【図１２】
0004744440.tif 000013
【図１３】
0004744440.tif 000014
【図１４】
0004744440.tif 000015
【図１５】
0004744440.tif 000016
【図１６】
0004744440.tif 000017
【図１７】
0004744440.tif 000018
【図１８】
0004744440.tif 000019
【図１９】
0004744440.tif 000020